(57)【要約】【課題】収容部材内のガスによる移動部材の移動の制限を抑制する。【解決手段】ウェビング巻取装置１０では、シリンダ６４内へガスが供給されて、ピストン７０が上側へ移動された際に、ガスの圧力によってシールピン８４がリーク穴８０から上側に離脱されて、ガスがリーク穴８０を介してピストン７０の第１シール部材７６より上側へ抜けることができる。このため、フォースリミッタ機構２０が作動される際には、ピストン７０の下側への移動のガスによる制限が抑制されることで、ピニオン５６及びスプール１６の引出方向への回転の制限を抑制できて、ウェビング１８のスプール１６からの引き出しの制限を抑制できる。【選択図】図１
2009269463.tif 000002
【特許請求の範囲】
【請求項１】
車両の乗員に装着されるウェビングが巻き取られ、巻取方向へ回転されることで前記ウェビングが巻き取られると共に、前記ウェビングが引き出されることで引出方向へ回転される巻取部材と、
受圧部が設けられ、一側へ移動されることで前記巻取部材が巻取方向へ回転されると共に、前記巻取部材が引出方向へ回転されることで他側へ移動される移動部材と、
前記移動部材が収容され、車両の緊急時にガスが供給されることで前記移動部材が前記受圧部においてガスの圧力を受けて一側へ移動可能にされた収容部材と、
前記移動部材に設けられると共に、前記移動部材の移動方向に沿って配置され、前記移動部材における前記受圧部の他側に連通された連通部と、
前記連通部に配置されて前記連通部を閉鎖し、前記移動部材が一側へ移動された際にガスの圧力によって前記移動部材に対し一側へ移動される閉鎖部材と、
を備えたウェビング巻取装置。
【請求項２】
前記連通部は、前記移動部材における前記受圧部の一側に連通され、かつ、前記閉鎖部材が前記移動部材に対し一側へ移動されることで前記移動部材における前記受圧部の一側と他側とが連通される請求項１記載のウェビング巻取装置。
【請求項３】
前記閉鎖部材の前記移動部材に対する一側への移動抵抗を調整する調整手段を備えた請求項１又は請求項２記載のウェビング巻取装置。
【請求項４】
前記移動部材の一側への移動が停止された際に前記閉鎖部材が前記移動部材に対し一側へ移動される請求項１〜請求項３の何れか１項記載のウェビング巻取装置。
【発明の詳細な説明】
【技術分野】
【０００１】
本発明は、移動部材が移動されることで巻取部材が回転されるウェビング巻取装置に関する。
【背景技術】
【０００２】
ウェビング巻取装置（シートベルト巻取装置）としては、車両の緊急時に、シリンダ内にガスが供給されることで、ピストンが一側へ移動されて、巻取軸がベルト巻取方向へ回転されるものがある（例えば、特許文献１参照）。
【０００３】
このウェビング巻取装置では、上述の如くピストンが一側へ移動された後に、ベルトが引き出されて、巻取軸がベルト引出方向へ回転されることで、ピストンが他側へ移動される。
【０００４】
ここで、このようなウェビング巻取装置では、上述の如くピストンが他側へ移動される際に、シリンダ内のガスによってピストンの他側への移動が制限されることを抑制できるのが好ましい。
【特許文献１】特開２００２−２７４３２５公報
【発明の開示】
【発明が解決しようとする課題】
【０００５】
本発明は、上記事実を考慮し、収容部材内のガスによって移動部材の他側への移動が制限されることを抑制できるウェビング巻取装置を得ることが目的である。
【課題を解決するための手段】
【０００６】
請求項１に記載のウェビング巻取装置は、車両の乗員に装着されるウェビングが巻き取られ、巻取方向へ回転されることで前記ウェビングが巻き取られると共に、前記ウェビングが引き出されることで引出方向へ回転される巻取部材と、受圧部が設けられ、一側へ移動されることで前記巻取部材が巻取方向へ回転されると共に、前記巻取部材が引出方向へ回転されることで他側へ移動される移動部材と、前記移動部材が収容され、車両の緊急時にガスが供給されることで前記移動部材が前記受圧部においてガスの圧力を受けて一側へ移動可能にされた収容部材と、前記移動部材に設けられると共に、前記移動部材の移動方向に沿って配置され、前記移動部材における前記受圧部の他側に連通された連通部と、前記連通部に配置されて前記連通部を閉鎖し、前記移動部材が一側へ移動された際にガスの圧力によって前記移動部材に対し一側へ移動される閉鎖部材と、を備えている。
【０００７】
請求項２に記載のウェビング巻取装置は、請求項１に記載のウェビング巻取装置において、前記連通部は、前記移動部材における前記受圧部の一側に連通され、かつ、前記閉鎖部材が前記移動部材に対し一側へ移動されることで前記移動部材における前記受圧部の一側と他側とが連通される。
【０００８】
請求項３に記載のウェビング巻取装置は、請求項１又は請求項２に記載のウェビング巻取装置において、前記閉鎖部材の前記移動部材に対する一側への移動抵抗を調整する調整手段を備えている。
【０００９】
請求項４に記載のウェビング巻取装置は、請求項１〜請求項３の何れか１項に記載のウェビング巻取装置において、前記移動部材の一側への移動が停止された際に前記閉鎖部材が前記移動部材に対し一側へ移動される。
【発明の効果】
【００１０】
請求項１に記載のウェビング巻取装置では、車両の乗員に装着されるウェビングが巻取部材に巻き取られると共に、受圧部が設けられた移動部材が収容部材に収容されている。
【００１１】
車両の緊急時に、収容部材にガスが供給されることで、移動部材が、受圧部においてガスの圧力を受けて、一側へ移動されると、巻取部材が巻取方向へ回転されることで、ウェビングが巻取部材に巻き取られて、ウェビングによる乗員の拘束力が増加される。
【００１２】
ここで、移動部材に設けられた連通部が、前記移動部材の移動方向に沿って配置されると共に、移動部材における受圧部の他側に連通されている。さらに、閉鎖部材が、連通部に配置されて、連通部を閉鎖している。このため、収容部材にガスが供給された際に、移動部材が、受圧部においてガスの圧力を受けて、一側へ移動することができ、ウェビングによる乗員の拘束力を増加させることができる。
【００１３】
さらに、移動部材が一側へ移動された際に、ガスの圧力によって閉鎖部材が移動部材に対し一側へ移動される。このため、乗員によってウェビングが巻取部材から引き出されて移動部材が他側へ移動される際に、収容部材内のガスの圧力が大きくなることを抑制でき、収容部材内のガスによって移動部材の他側への移動が制限されることを抑制できる。
【００１４】
請求項２に記載のウェビング巻取装置では、連通部が移動部材における受圧部の一側に連通されている。
【００１５】
ここで、移動部材が一側へ移動された際に、閉鎖部材が移動部材に対し一側へ移動されることで、移動部材における受圧部の一側と他側とが連通される。このため、乗員によってウェビングが巻取部材から引き出されて移動部材が他側へ移動される際に、収容部材内のガスが移動部材における受圧部の他側から一側へ連通部を介して通過することができ、収容部材内のガスによって移動部材の他側への移動が制限されることを抑制できる。
【００１６】
請求項３に記載のウェビング巻取装置では、閉鎖部材の移動部材に対する一側への移動抵抗を調整手段が調整する。このため、移動部材が一側へ移動される際に閉鎖部材が移動部材に対し一側へ移動されることを抑制でき、ガスの圧力によって移動部材を一側へ移動させることができる。さらに、移動部材が一側へ移動された際に閉鎖部材を移動部材に対し一側へ移動させることができ、収容部材内のガスによって移動部材の他側への移動が制限されることを抑制できる。
【００１７】
請求項４に記載のウェビング巻取装置では、移動部材の一側への移動が停止された際に、閉鎖部材が移動部材に対し一側へ移動される。このため、ガスの圧力によって移動部材を一側へ移動させることができると共に、収容部材内のガスによって移動部材の他側への移動が制限されることを抑制できる。
【発明を実施するための最良の形態】
【００１８】
［第１の実施の形態］
図１には、本発明の第１の実施の形態に係るウェビング巻取装置１０が車両前後方向一側から見た側面図にて示されており、図２には、ウェビング巻取装置１０が車両前後方向他側から見た側面図にて示されている。さらに、図３には、ウェビング巻取装置１０が車幅方向外側から見た断面図にて示されており、図４には、ウェビング巻取装置１０が車幅方向外側かつ車両前後方向一側から見た斜視図にて示されている。なお、図面では、車幅方向内側を矢印ＩＮで示し、車両前後方向一側を矢印ＬＯで示し、上方を矢印ＵＰで示す。
【００１９】
本実施の形態に係るウェビング巻取装置１０には、断面Ｕ字形板状のフレーム１２が設けられており、フレーム１２には、車幅方向外側の背板１２Ａと、車両前後方向一側の脚板１２Ｂと、車両前後方向他側の脚板１２Ｃと、が設けられている。フレーム１２は、背板１２Ａにおいて、車両に固定されており、これにより、ウェビング巻取装置１０が車両に設置されている。
【００２０】
フレーム１２には、脚板１２Ｂと脚板１２Ｃとの間において、巻取部材としての略円筒状のスプール１６が回転可能に配置されており、スプール１６の中心軸は車両前後方向に平行に配置されている。スプール１６には、長尺帯状のウェビング１８（ベルト）が基端側から巻き取られており、ウェビング１８は、フレーム１２から上側へ延出されて、車両のシート（図示省略）に着座した乗員に装着されている。また、スプール１６が巻取方向（図１及び図２の矢印Ａ方向）へ回転されることで、ウェビング１８がスプール１６に巻き取られると共に、ウェビング１８がスプール１６から引き出されることで、スプール１６が引出方向（図１及び図２の矢印Ｂ方向）へ回転される。
【００２１】
スプール１６内には、中心軸に沿って、フォースリミッタ機構２０を構成するエネルギー吸収部材としてのトーションシャフト２２が挿入されており、トーションシャフト２２の脚板１２Ｃ側の他端は、スプール１６から突出されて、フレーム１２の脚板１２Ｃ外側へ突出されている。
【００２２】
スプール１６の脚板１２Ｂ側には、係合部材としてのスリーブ２４が設けられている。
【００２３】
スリーブ２４には、筒状の挿入部２４Ａが設けられており、挿入部２４Ａにおいてスプール１６内に回転不能に嵌入されて、スプール１６に一体回転可能に装着されている。挿入部２４Ａ内には、トーションシャフト２２の一端（脚板１２Ｂ側端）が回転不能に挿入されており、スリーブ２４は、トーションシャフト２２と一体に回転可能にされている。
【００２４】
スリーブ２４には、略円柱状の係合部２４Ｂが設けられて、フレーム１２の脚板１２Ｂ外側に突出されると共に、外周面の摩擦係数が高くされている。また、スリーブ２４には、略円柱状の突出部２４Ｃが設けられており、係合部２４Ｂから突出されている。
【００２５】
スプール１６の脚板１２Ｃ側には、ロック機構２６が設けられており、ロック機構２６には、保持部材としてのベースロック２８が設けられている。
【００２６】
ベースロック２８のスプール１６側部分には、略円筒状の装着部２８Ａが設けられており、ベースロック２８は、装着部２８Ａにおいてスプール１６内に抜け止めされた状態で嵌入されて、スプール１６に回転可能に装着されている。
【００２７】
ベースロック２８のスプール１６とは反対側部分には、略円柱状の保持部２８Ｂが設けられている。保持部２８Ｂのスプール１６とは反対側の面には、凹状の収容部３０が形成されており、収容部３０は、保持部２８Ｂの周方向に延伸されると共に、一端が保持部２８Ｂの外周面から開放されている。
【００２８】
ベースロック２８には、トーションシャフト２２の他端近傍が回転不能に貫通されており、ベースロック２８は、トーションシャフト２２と一体に回転可能にされている。
【００２９】
ベースロック２８（保持部２８Ｂ）の収容部３０には、ロック部材としての略円弧形平板状のロックプレート３２が移動（スライド）可能に収容されており、ロックプレート３２の一端には、ロック歯３２Ａが形成されている。ロックプレート３２のスプール１６とは反対側の面には、円軸状のガイドピン３２Ｂが設けられており、ガイドピン３２Ｂは、ロックプレート３２から突出されている。
【００３０】
フレーム１２の脚板１２Ｃには、ロック部としての略円状のラチェット孔３４が貫通形成されており、ラチェット孔３４の外周には、ラチェット歯３４Ａ（内歯）が形成されている。また、ラチェット孔３４の内部には、ベースロック２８の保持部２８Ｂが配置されている。
【００３１】
ベースロック２８（保持部２８Ｂ）のスプール１６とは反対側の面には、略円板状のロックカバー３６が一体回転可能に取り付けられており、ロックカバー３６は、保持部２８Ｂ（収容部３０を含む）を被覆すると共に、収容部３０におけるロックプレート３２（ガイドピン３２Ｂを含む）の移動を許可している。また、ロックカバー３６には、トーションシャフト２２の他端が貫通されている。
【００３２】
ロックカバー３６のスプール１６とは反対側には、略有底円筒状のＶギヤ３８が設けられており、Ｖギヤ３８は、トーションシャフト２２の他端が貫通されて、トーションシャフト２２に追従回転可能に支持されている。Ｖギヤ３８には、屈曲形状のガイド孔３８Ａが貫通形成されており、ガイド孔３８Ａの一端には、ロックプレート３２のガイドピン３２Ｂが挿通されている。また、Ｖギヤ３８の外周面には、ラチェット歯３８Ｂが形成されている。
【００３３】
Ｖギヤ３８の下側には、加速度センサ４０が設けられており、加速度センサ４０には、断面Ｌ字形板状のセンサハウジング４２が設けられている。センサハウジング４２の下側部分の上面には、球面形凹状の載置部４２Ａが形成されており、載置部４２Ａ上には、球状のボール４４が載置されている。センサハウジング４２の上側部分には、センサレバー４６が基端において回動可能に支持されており、センサレバー４６は、ボール４４の上側に載置されている。
【００３４】
車両の緊急時（衝突時（急減速時））には、ボール４４が載置部４２Ａ上を転動されて上側へ移動され、センサレバー４６が上側へ回動されることで、センサレバー４６がＶギヤ３８のラチェット歯３８Ｂに噛合して、Ｖギヤ３８の引出方向への回転が規制可能にされている。
【００３５】
Ｖギヤ３８の引出方向への回転が規制された状態において、乗員によってウェビング１８を介してスプール１６が引出方向へ僅かに回転されると、Ｖギヤ３８に対するベースロック２８（保持部２８Ｂ）の引出方向への回転によって、ロックプレート３２のガイドピン３２ＢがＶギヤ３８のガイド孔３８Ａの一端から他端へ移動されて、ロックプレート３２が収容部３０内を移動されることで、ロックプレート３２のロック歯３２Ａがラチェット孔３４外周のラチェット歯３４Ａに噛合される。さらに、乗員によってウェビング１８を介してスプール１６が移動されることで、ロック歯３２Ａとラチェット歯３４Ａとの噛合位置の略反対側において、ベースロック２８の保持部２８Ｂがラチェット孔３４外周のラチェット歯３４Ａに食い込む。これにより、ベースロック２８の引出方向への回転がロックされて、スプール１６の引出方向への回転が規制可能にされている（スプール１６の巻取方向への回転は許可される）。
【００３６】
ベースロック２８の引出方向への回転がロックされた状態において、乗員からウェビング１８へフォースリミッタ荷重以上の荷重が作用した際には、フォースリミッタ機構２０が作動されて、ウェビング１８からスプール１６へ作用する引出方向への回転力によって、トーションシャフト２２が一端と他端近傍との間において引出方向へ捩れ変形されることで、スプール１６及びスリーブ２４が引出方向へ回転可能にされている。
【００３７】
ロックカバー３６、Ｖギヤ３８及び加速度センサ４０は、樹脂製箱状のセンサホルダ４８に収容されており、センサホルダ４８は、樹脂製箱状のセンサカバー５２に収容されている。センサカバー５２及びセンサホルダ４８は、一体にされて、フレーム１２の脚板１２Ｃに固定されており、センサホルダ４８は、トーションシャフト２２の他端を回転可能に支持している。
【００３８】
図４に示す如く、フレーム１２の脚板１２Ｂ外側には、ラック＆ピニオン方式によるプリテンショナ機構５４が設けられている。
【００３９】
図５に詳細に示す如く、プリテンショナ機構５４には、回転部材としてのピニオン５６が設けられており、ピニオン５６には、スリーブ２４の係合部２４Ｂ及び突出部２４Ｃが回転可能に貫通されている。ピニオン５６の脚板１２Ｂとは反対側部分には、歯車５８が設けられており、歯車５８は、突出部２４Ｃの外周に配置されている。ピニオン５６の脚板１２Ｂ側部分には、有底筒状のクラッチ部６０が設けられており、クラッチ部６０内には、係合部２４Ｂが配置されている。
【００４０】
クラッチ部６０の内周面には、所定数（本実施の形態では３つ）の凹部６０Ａが形成されており、所定数の凹部６０Ａは、クラッチ部６０の周方向へ等間隔で配置されると共に、それぞれ深さが引出方向へ向かうに従い徐々に浅くされている。凹部６０Ａ内には、巻取方向側部分において、クラッチ部材としての円軸状のローラ６２が収容されており、ローラ６２の外周面は、摩擦係数が大きくされている。
【００４１】
ピニオン５６の下側には、収容部材としての有底円筒状のシリンダ６４が設けられており、シリンダ６４は、上下方向に沿って配置されている。シリンダ６４は、フレーム１２の脚板１２Ｂに固定されており、シリンダ６４の上端は、ピニオン５６の下側近傍において開口されている。
【００４２】
シリンダ６４内の下端（底部）は、略円筒状の連通筒６６の一端内に連通されており、連通筒６６の他端には、ガス発生装置６８が固定されている。ガス発生装置６８は、連通筒６６の他端を閉塞しており、車両の緊急時には、プリテンショナ機構５４が作動されることで、ガス発生装置６８が高圧のガスを瞬時に発生して連通筒６６を介してシリンダ６４内の下端に供給可能にされている。
【００４３】
シリンダ６４内には、移動部材を構成するピストン７０が設けられており、ピストン７０は、シリンダ６４内を上下方向へ移動可能にされている。
【００４４】
ピストン７０の下端近傍には、外形円状のフランジ部７２が設けられており、フランジ部７２は、シリンダ６４の内周面に比し、径が僅かに小さくされている。ピストン７０の下端には、受圧部を構成する円柱状の円柱部７４が設けられており、円柱部７４は、フランジ部７２の直下に配置されると共に、フランジ部７２に比し径が小さくされている。
【００４５】
円柱部７４の外周面には、移動部材の受圧部を構成するシール部材としての環状の第１シール部材７６が嵌合されており、第１シール部材７６は、弾性及びシール性を有している。第１シール部材７６は、弾性変形された状態で、円柱部７４の外周面及びフランジ部７２の下面とシリンダ６４の内周面とに接触されており、第１シール部材７６は、ピストン７０（円柱部７４）とシリンダ６４との間をシールしている。
【００４６】
ピストン７０には、フランジ部７２の上側において、矩形柱状のラック７８が設けられており、ラック７８の背板１２Ａ側部分には、下部を除く部分において、ラック歯７８Ａが形成されている。ラック７８は、シリンダ６４から突出されており、ラック７８の先端は、ピニオン５６の歯車５８の下側近傍に配置されている。
【００４７】
車両の緊急時に、ピストン７０の円柱部７４及び第１シール部材７６が、ガス発生装置６８からシリンダ６４内の下端へ供給された高圧のガスの圧力（内圧）を下側から受けて、ピストン７０及び第１シール部材７６が上側へ移動されると、ピストン７０のラック７８（ラック歯７８Ａ）がピニオン５６の歯車５８に噛合されて、ピニオン５６が巻取方向へ回転可能にされている。また、第１シール部材７６がピストン７０とシリンダ６４との間をシールすることで、シリンダ６４内の下端へ供給された高圧のガスがピストン７０とシリンダ６４との間を介してピストン７０の第１シール部材７６より下側から上側へ抜ける（通過する）ことが抑制される。
【００４８】
図６（Ａ）に詳細に示す如く、ピストン７０の下部には、連通部としての断面円状のリーク穴８０が形成されており、リーク穴８０は、上下方向（ピストン７０の軸方向及び移動方向）へ延伸されている。リーク穴８０は、ピストン７０のフランジ部７２及び円柱部７４を貫通しており、リーク穴８０は、上端がフランジ部７２の上面から開放されると共に、下端がピストン７０の下面（円柱部７４の下面）から開放されている。これにより、リーク穴８０がピストン７０の第１シール部材７６より上側と下側とを連通している。
【００４９】
ピストン７０の下部には、通過部としての断面円状の追加リーク穴８２が形成されており、追加リーク穴８２は、上下方向（ピストン７０の軸方向及び移動方向）へ延伸されている。追加リーク穴８２は、ピストン７０のフランジ部７２及び円柱部７４を貫通しており、追加リーク穴８２は、上端がフランジ部７２の上面から開放されると共に、下端がピストン７０の下面（円柱部７４の下面）から開放されている。これにより、追加リーク穴８２がピストン７０の第１シール部材７６より上側と下側とを連通している。また、追加リーク穴８２は、リーク穴８０に比し、径が小さくされている。なお、追加リーク穴８２をピストン７０に形成しない構成としてもよい。
【００５０】
リーク穴８０には、閉鎖部材としての樹脂製又は金属製のシールピン８４が設けられている（図７参照）。シールピン８４には、調整手段としての円軸状の軸部８６が設けられており、軸部８６がリーク穴８０に圧入（挿入）されることで、シールピン８４が、リーク穴８０に取り付けられて、リーク穴８０をシール（閉鎖、閉塞）している。軸部８６の下端には、調整手段としての断面略Ｖ字形板状の腕部８８が一体に設けられており、腕部８８は、軸部８６の径方向外側へ延出されている。腕部８８の長手方向両端部は、軸部８６の径方向外側へ向かうに従い上側へ向かう方向へ傾斜されており、腕部８８の長手方向両端は、ピストン７０の下面（円柱部７４の下面）に接触されている。
【００５１】
このため、車両の緊急時には、シリンダ６４内の下端へ供給された高圧のガスがピストン７０のリーク穴８０を介してピストン７０の第１シール部材７６より下側から上側へ抜ける（通過する）ことが抑制される。
【００５２】
次に、本実施の形態の作用を説明する。
【００５３】
以上の構成のウェビング巻取装置１０では、車両の緊急時（衝突時）に、ロック機構２６の加速度センサ４０において、ボール４４が載置部４２Ａ上を転動されて上側へ移動され、センサレバー４６が上側へ回動されることで、センサレバー４６がＶギヤ３８のラチェット歯３８Ｂに噛合して、Ｖギヤ３８の引出方向への回転が規制される。
【００５４】
Ｖギヤ３８の引出方向への回転が規制された状態において、乗員によってウェビング１８を介してスプール１６が引出方向へ僅かに回転されると、Ｖギヤ３８に対するベースロック２８（保持部２８Ｂ）の引出方向への回転によって、ロックプレート３２のガイドピン３２ＢがＶギヤ３８のガイド孔３８Ａの一端から他端へ移動されて、ロックプレート３２が収容部３０内を移動されることで、ロックプレート３２のロック歯３２Ａがフレーム１２のラチェット孔３４外周のラチェット歯３４Ａに噛合される。さらに、乗員によってウェビング１８を介してスプール１６が移動されることで、ロック歯３２Ａとラチェット歯３４Ａとの噛合位置の略反対側において、ベースロック２８の保持部２８Ｂがラチェット孔３４外周のラチェット歯３４Ａに食い込む。これにより、ベースロック２８の引出方向への回転がロックされて、スプール１６の引出方向への回転が規制される（スプール１６の巻取方向への回転は許可される）ことで、ウェビング１８のスプール１６からの引き出しが規制されて、ウェビング１８が乗員を拘束する。
【００５５】
さらに、車両の緊急時には、プリテンショナ機構５４が作動されることで、ガス発生装置６８が高圧のガスを瞬時に発生して連通筒６６を介してシリンダ６４内の下端に供給する。
【００５６】
プリテンショナ機構５４では、ピストン７０（円柱部７４）とシリンダ６４との間を第１シール部材７６がシールする。さらに、ピストン７０のリーク穴８０内にシールピン８４の軸部８６が圧入されて、リーク穴８０をシールピン８４がシールする。
【００５７】
このため、ガス発生装置６８からシリンダ６４内の下端へ供給された高圧のガスの圧力を、ピストン７０の円柱部７４、第１シール部材７６及びシールピン８４が下側から受けて、ピストン７０、第１シール部材７６及びシールピン８４が上側へ移動される。これにより、ピストン７０のラック７８（ラック歯７８Ａ）がピニオン５６の歯車５８に噛合されて、ピニオン５６が巻取方向へ回転される。
【００５８】
ピニオン５６が巻取方向へ回転された際には、ピニオン５６のクラッチ部６０内のローラ６２が、ピニオン５６の巻取方向への回転力によって、クラッチ部６０の凹部６０Ａの巻取方向側部分から引出方向側部分に移動されて、クラッチ部６０（凹部６０Ａの底面）とスリーブ２４（係合部２４Ｂの外周面）との間に噛み込まれて（係合されて）、ピニオン５６とスプール１６とが一体回転可能にされる。これにより、ピニオン５６と一体にスプール１６が巻取方向へ回転されて、スプール１６にウェビング１８が巻き取られることで、ウェビング１８による乗員の拘束力が増加される。
【００５９】
その後、乗員からウェビング１８を介して引出方向への荷重が作用した際には、ウェビング１８からスプール１６へ作用する引出方向への回転力によって、トーションシャフト２２が一端と他端近傍との間において引出方向へ捩れ変形されることで、スプール１６及びスリーブ２４が引出方向へ回転されて、ウェビング１８がスプール１６から引き出される。
【００６０】
フォースリミッタ機構２０が作動される際には、スリーブ２４が引出方向へ回転されることで、スリーブ２４と一体にピニオン５６が引出方向へ回転されて、ピストン７０のラック７８（ラック歯７８Ａ）のピニオン５６（歯車５８）への噛合によって、ピストン７０が下側へ移動される。
【００６１】
ここで、図６（Ｂ）に示す如く、プリテンショナ機構５４が作動される際には、ガス発生装置６８からシリンダ６４内の下端に高圧のガスが供給されることで、当該ガスの圧力によって、シールピン８４の軸部８６がピストン７０のリーク穴８０に更に圧入されつつ、シールピン８４の腕部８８が変形（破壊）される。さらに、当該ガスの圧力によってピストン７０が上側へ移動される間は、シールピン８４の軸部８６のリーク穴８０への圧入状態が維持されることで、シールピン８４によるリーク穴８０のシール状態が維持されて、ピストン７０の第１シール部材７６より上側と下側とがリーク穴８０を介して連通されない。
【００６２】
このため、ピストン７０の円柱部７４、第１シール部材７６及びシールピン８４が、ガス発生装置６８からシリンダ６４内の下端へ供給された高圧のガスの圧力を、下側から充分に受けることができ、ピストン７０が、ピニオン５６を巻取方向へ回転させてスプール１６にウェビング１８を充分に巻き取るために必要な移動エネルギー（ウェビング１８による乗員の拘束力を充分に増加させるために必要な移動エネルギー）を、得ることができる。
【００６３】
その後、ピストン７０の上側への移動が停止された際（ピストン７０の上側への移動によるスプール１６の巻取方向への回転力と乗員からウェビング１８を介してスプール１６へ作用する引出方向への回転力とが同一になった際）には、シリンダ６４内のガス（第１シール部材７６より下側のガス）の圧力（内圧）が最大（ピーク）になる。このため、図６（Ｃ）に示す如く、当該ガスの圧力によって、シールピン８４の軸部８６から腕部８８が離脱されると共に、シールピン８４（軸部８６）がピストン７０のリーク穴８０に対し上側に移動されて、シールピン８４（軸部８６）がリーク穴８０から上側に離脱されることで、シールピン８４によるリーク穴８０のシール状態が解除されて、ピストン７０の第１シール部材７６より上側と下側とがリーク穴８０を介して連通される。これにより、当該ガスがリーク穴８０を介してピストン７０の第１シール部材７６より下側から上側へ抜けることができる。
【００６４】
このため、フォースリミッタ機構２０が作動される際においては、ウェビング１８のスプール１６からの引き出しによってピストン７０の下側への移動が開始される際から、シリンダ６４内に残留するガス（第１シール部材７６より下側のガス）の圧力によってピストン７０の下側への移動が制限されることが抑制される。したがって、ピニオン５６の引出方向への回転が制限されることが抑制されて、ウェビング１８のスプール１６からの引き出しが制限されることが抑制される。
【００６５】
また、シールピン８４の軸部８６がピストン７０のリーク穴８０に圧入されると共に、シールピン８４の腕部８８がピストン７０の下面に係合されることで、シールピン８４のピストン７０（リーク穴８０）に対する移動抵抗が調整（増加）されている。このため、プリテンショナ機構５４が作動される際には、シールピン８４のリーク穴８０に対する上側への移動を抑制できて、シリンダ６４内の下端に供給された高圧のガスによってピストン７０が上側へ移動できる。さらに、フォースリミッタ機構２０が作動される際（ピストン７０の上側への移動が停止された際）には、シールピン８４がリーク穴８０から離脱できて、シリンダ６４内に残留するガスの圧力によってピストン７０の下側への移動が制限されることを抑制できる。
【００６６】
なお、本実施の形態では、プリテンショナ機構５４の作動によるピストン７０の上側への移動が停止された際にシールピン８４の軸部８６から腕部８８が離脱される構成としたが、プリテンショナ機構５４の作動によるピストン７０の上側への移動が停止される前にシールピン８４の軸部８６から腕部８８が離脱される構成としてもよい。この場合でも、プリテンショナ機構５４の作動によるピストン７０の上側への移動が停止された際にシールピン８４（軸部８６）がリーク穴８０から上側に離脱されるのが好ましい。
【００６７】
［第２の実施の形態］
図８（Ａ）には、本発明の第２の実施の形態に係るウェビング巻取装置１００の主要部が車両前後方向一側から見た断面図にて示されている。
【００６８】
本実施の形態に係るウェビング巻取装置１００は、上記第１の実施の形態と、ほぼ同様の構成であるが、以下の点で異なる。
【００６９】
本実施の形態に係るウェビング巻取装置１００では、ピストン７０のリーク穴８０がピストン７０の中心軸位置に配置されている。リーク穴８０は、ピストン７０のラック７８下部からフランジ部７２及び円柱部７４を貫通しており、リーク穴８０の下端は、ピストン７０の下面（円柱部７４の下面）から開放されている。ピストン７０のラック７８下部には、挿通部としての断面円状の連通孔１０２が設けられており、連通孔１０２は、水平に延伸されている。連通孔１０２は、リーク穴８０の上下方向中間部に連通されると共に、ピストン７０の外周面（ラック７８の外周面）から開放されており、これにより、リーク穴８０及び連通孔１０２がピストン７０の第１シール部材７６より上側と下側とを連通している。また、リーク穴８０の連通孔１０２との連通部分から下側の部分は、シール部４０Ａにされている。
【００７０】
リーク穴８０に設けられるシールピン８４は、略円軸状にされている。シールピン８４の上部には、調整手段としての円軸状（円錐台状でもよい）の圧入部９０が設けられており、圧入部９０は、シールピン８４の他の部位に比し、僅かに径が大きくされている。圧入部９０は、リーク穴８０に連通孔１０２より上側において圧入（挿入）されており、これにより、シールピン８４がリーク穴８０に取り付けられている。シールピン８４の上面（圧入部９０の上面）は、リーク穴８０の上面（底面）から離間されており、シールピン８４の下面は、ピストン７０の下面（リーク穴８０の下面）と面一にされている。これにより、シールピン８４が、リーク穴８０の連通孔１０２より上側から下面までに配置（略嵌合）されて、リーク穴８０のシール部４０Ａをシール（閉鎖、閉塞）しており、車両の緊急時には、シリンダ６４内の下端へ供給された高圧のガスがピストン７０のリーク穴８０及び連通孔１０２を介してピストン７０の第１シール部材７６より下側から上側へ抜ける（通過する）ことが抑制される。
【００７１】
シールピン８４の外周には、圧入部９０の直下において、調整手段としての環状の第２シール部材１０４が嵌合されており、第２シール部材１０４は、弾性及びシール性を有している。第２シール部材１０４は、弾性変形された状態で、シールピン８４の外周面及び圧入部９０の下面とリーク穴８０の連通孔１０２より上側の外周面とに接触されており、第２シール部材１０４は、ピストン７０（リーク穴８０の外周）とシールピン８４との間をシールしている。
【００７２】
ピストン７０の下部には、上記第１の実施の形態における追加リーク穴８２が形成されていない。
【００７３】
ここで、本実施の形態でも、上記第１の実施の形態と同様の作用及び効果を奏することができる。
【００７４】
特に、プリテンショナ機構５４が作動される際において、ガス発生装置６８からシリンダ６４内の下端に供給された高圧のガスの圧力によってピストン７０が上側へ移動される間は、シールピン８４の圧入部９０とリーク穴８０の外周面との間の摩擦力、及び、第２シール部材１０４とシールピン８４の外周面及びリーク穴８０の外周面との間の摩擦力によって、リーク穴８０に対するシールピン８４（第２シール部材１０４を含む）の上側への移動が抑制されることで、シールピン８４によるリーク穴８０のシール部４０Ａのシール状態が維持されて、ピストン７０の第１シール部材７６より上側と下側とがリーク穴８０及び連通孔１０２を介して連通されない。
【００７５】
その後、ピストン７０の上側への移動が停止された際（ピストン７０の上側への移動によるスプール１６の巻取方向への回転力と乗員からウェビング１８を介してスプール１６へ作用する引出方向への回転力とが同一になった際）には、シリンダ６４内のガス（第１シール部材７６より下側のガス）の圧力（内圧）が最大（ピーク）になる。このため、図８（Ｂ）に示す如く、当該ガスの圧力によって、シールピン８４（第２シール部材１０４を含む）がピストン７０のリーク穴８０に対し上側に移動されて、少なくともシールピン８４の下面がリーク穴８０の連通孔１０２との連通位置まで到達することで、シールピン８４によるリーク穴８０のシール部４０Ａのシール状態が解除されて、ピストン７０の第１シール部材７６より上側と下側とがリーク穴８０及び連通孔１０２を介して連通される。これにより、当該ガスがリーク穴８０及び連通孔１０２を介してピストン７０の第１シール部材７６より下側から上側へ抜けることができる。
【００７６】
また、シールピン８４の圧入部９０がリーク穴８０に圧入されると共に、第２シール部材１０４がシールピン８４の外周面とリーク穴８０の外周面とに弾性接触されることで、シールピン８４のピストン７０（リーク穴８０）に対する移動抵抗が調整（増加）されている。このため、プリテンショナ機構５４が作動される際には、シールピン８４のリーク穴８０に対する上側への移動を抑制できて、シリンダ６４内の下端に供給された高圧のガスによってピストン７０が上側へ移動できる。さらに、フォースリミッタ機構２０が作動される際（ピストン７０の上側への移動が停止された際）には、シールピン８４がリーク穴８０に対し上側に移動できて、シリンダ６４内に残留するガスの圧力によってピストン７０の下側への移動が制限されることを抑制できる。
【００７７】
［第３の実施の形態］
図９（Ａ）には、本発明の第３の実施の形態に係るウェビング巻取装置２００の主要部が車両前後方向一側から見た断面図にて示されている。
【００７８】
本実施の形態に係るウェビング巻取装置２００は、上記第２の実施の形態と、ほぼ同様の構成であるが、以下の点で異なる。
【００７９】
本実施の形態に係るウェビング巻取装置２００では、シールピン８４の下端以外の部分に圧入部９０が設けられており、シールピン８４の下端に、閉鎖部材としても機能する第２シール部材１０４が嵌合されている。第２シール部材１０４は、弾性変形された状態で、シールピン８４の外周面及び圧入部９０の下面とリーク穴８０下端の外周面とに接触されており、第２シール部材１０４は、ピストン７０（リーク穴８０の外周）とシールピン８４との間をシールしている。これにより、シールピン８４及び第２シール部材１０４がリーク穴８０のシール部４０Ａをシール（閉鎖、閉塞）しており、車両の緊急時には、シリンダ６４内の下端へ供給された高圧のガスがピストン７０のリーク穴８０及び連通孔１０２を介してピストン７０の第１シール部材７６より下側から上側へ抜ける（通過する）ことが抑制される。
【００８０】
ここで、本実施の形態でも、上記第２の実施の形態と同様の作用及び効果を奏することができる（図９（Ｂ）参照）。
【００８１】
なお、上記第２の実施の形態及び第３の実施の形態では、プリテンショナ機構５４の作動によるピストン７０の上側への移動が停止された際にシールピン８４がリーク穴８０に対し上側に移動される構成としたが、プリテンショナ機構５４の作動によるピストン７０の上側への移動が停止される前にシールピン８４がリーク穴８０に対し上側に移動される構成としてもよい。この場合でも、プリテンショナ機構５４の作動によるピストン７０の上側への移動が停止された際にシールピン８４によるリーク穴８０のシール部４０Ａのシール状態が解除されるのが好ましい。
【００８２】
また、上記第２の実施の形態及び第３の実施の形態において、ピストン７０の下部に上記第１の実施の形態と同様の追加リーク穴８２を形成した構成としてもよい。この場合、追加リーク穴８２の上端がフランジ部７２の上面から開放され又は連通孔１０２に連通されると共に、追加リーク穴８２の下端がピストン７０の下面から開放される。
【００８３】
［第４の実施の形態］
図１０（Ａ）には、本発明の第４の実施の形態に係るウェビング巻取装置３００の主要部が車両前後方向一側から見た断面図にて示されている。
【００８４】
本実施の形態に係るウェビング巻取装置３００は、上記第２の実施の形態と、ほぼ同様の構成であるが、以下の点で異なる。
【００８５】
本実施の形態に係るウェビング巻取装置３００では、ピストン７０に上記第２の実施の形態における連通孔１０２が設けられていない。
【００８６】
シールピン８４の圧入部９０は、シールピン８４の下端近傍以外の部分に設けられており、シールピン８４の下端近傍に、閉鎖部材としても機能する第２シール部材１０４が嵌合されている。第２シール部材１０４は、弾性変形された状態で、シールピン８４の外周面及び上下の圧入部９０とリーク穴８０下端近傍の外周面とに接触されており、第２シール部材１０４は、ピストン７０（リーク穴８０の外周）とシールピン８４との間をシールしている。これにより、シールピン８４及び第２シール部材１０４がリーク穴８０をシール（閉鎖、閉塞）しており、車両の緊急時には、シリンダ６４内の下端へ供給された高圧のガスがピストン７０のリーク穴８０に侵入することが抑制される。
【００８７】
ピストン７０の下部には、上記第１の実施の形態と同様に追加リーク穴８２が形成されている。なお、ピストン７０の下部に追加リーク穴８２を形成しない構成としてもよい。
【００８８】
ここで、本実施の形態でも、上記第２の実施の形態と同様の作用及び効果を奏することができる。
【００８９】
特に、プリテンショナ機構５４が作動される際において、ガス発生装置６８からシリンダ６４内の下端に供給された高圧のガスの圧力によってピストン７０が上側へ移動される間は、シールピン８４の圧入部９０とリーク穴８０の外周面との間の摩擦力、及び、第２シール部材１０４とシールピン８４の外周面及びリーク穴８０の外周面との間の摩擦力によって、リーク穴８０に対するシールピン８４（第２シール部材１０４を含む）の上側への移動が抑制されることで、リーク穴８０への当該ガスの侵入が抑制される。
【００９０】
このため、ピストン７０の円柱部７４、第１シール部材７６及びシールピン８４（第２シール部材１０４を含む）が、当該ガスの圧力を下側から充分に受けることができ、ピストン７０が、ピニオン５６を巻取方向へ回転させてスプール１６にウェビング１８を充分に巻き取るために必要な移動エネルギー（ウェビング１８による乗員の拘束力を充分に増加させるために必要な移動エネルギー）を、得ることができる。
【００９１】
その後、ピストン７０の上側への移動が停止された際（ピストン７０の上側への移動によるスプール１６の巻取方向への回転力と乗員からウェビング１８を介してスプール１６へ作用する引出方向への回転力とが同一になった際）には、シリンダ６４内のガス（第１シール部材７６より下側のガス）の圧力（内圧）が最大（ピーク）になる。これにより、図１０（Ｂ）に示す如く、当該ガスの圧力によって、シールピン８４（第２シール部材１０４を含む）がピストン７０のリーク穴８０に対し上側に移動されて、リーク穴８０への当該ガスの侵入が許可されることで、当該ガスの収容容積が大きくされて、当該ガスの圧力が低下される。
【００９２】
このため、フォースリミッタ機構２０が作動される際においては、ウェビング１８のスプール１６からの引き出しによってピストン７０の下側への移動が開始される際から、シリンダ６４内に残留するガス（第１シール部材７６より下側及びリーク穴８０内のガス）の圧力によってピストン７０の下側への移動が制限されることが抑制される。したがって、ピニオン５６の引出方向への回転が制限されることが抑制されて、ウェビング１８のスプール１６からの引き出しが制限されることが抑制される。
【００９３】
なお、上記第２の実施の形態〜第４の実施の形態において、シールピン８４に上記第１の実施の形態と同様の腕部８８を一体に設けて腕部８８をピストン７０に係合させた構成や、シールピン８４の上面とリーク穴８０の上面（底面）との間に塑性変形可能な変形部材（調整手段）を設けた構成としてもよい。これにより、シールピン８４のピストン７０（リーク穴８０）に対する移動抵抗を調整（増加）することができる。
【図面の簡単な説明】
【００９４】
【図１】本発明の第１の実施の形態に係るウェビング巻取装置を示す車両前後方向一側から見た側面図である。
【図２】本発明の第１の実施の形態に係るウェビング巻取装置を示す車両前後方向他側から見た側面図である。
【図３】本発明の第１の実施の形態に係るウェビング巻取装置を示す車幅方向外側から見た断面図である。
【図４】本発明の第１の実施の形態に係るウェビング巻取装置を示す車幅方向外側かつ車両前後方向一側から見た斜視図である。
【図５】本発明の第１の実施の形態に係るウェビング巻取装置の主要部を示す上方から見た断面図である。
【図６】（Ａ）〜（Ｃ）は、本発明の第１の実施の形態に係るウェビング巻取装置の主要部を示す車両前後方向一側から見た断面図であり、（Ａ）は、プリテンショナ機構の作動前を示す図であり、（Ｂ）は、プリテンショナ機構の作動によるピストンの上側移動時を示す図であり、（Ｃ）は、プリテンショナ機構の作動によるピストンの上側移動停止時を示す図である。
【図７】本発明の第１の実施の形態に係るウェビング巻取装置におけるシールピンを示す斜視図である。
【図８】（Ａ）及び（Ｂ）は、本発明の第３の実施の形態に係るウェビング巻取装置の主要部を示す車両前後方向一側から見た断面図であり、（Ａ）は、プリテンショナ機構の作動前を示す図であり、（Ｂ）は、フォースリミッタ機構の作動時を示す図である。
【図９】（Ａ）及び（Ｂ）は、本発明の第４の実施の形態に係るウェビング巻取装置の主要部を示す車両前後方向一側から見た断面図であり、（Ａ）は、プリテンショナ機構の作動前を示す図であり、（Ｂ）は、フォースリミッタ機構の作動時を示す図である。
【図１０】（Ａ）及び（Ｂ）は、本発明の第５の実施の形態に係るウェビング巻取装置の主要部を示す車両前後方向一側から見た断面図であり、（Ａ）は、プリテンショナ機構の作動前を示す図であり、（Ｂ）は、フォースリミッタ機構の作動時を示す図である。
【符号の説明】
【００９５】
１０    ウェビング巻取装置
１６    スプール（巻取部材）
１８    ウェビング
６４    シリンダ（収容部材）
７０    ピストン（移動部材）
７４    円柱部（受圧部）
７６    第１シール部材（移動部材、受圧部）
８０    リーク穴（連通部）
８４    シールピン（閉鎖部材）
８６    軸部（調整手段）
８８    腕部（調整手段）
９０    圧入部（調整手段）
１００    ウェビング巻取装置
１０４    第２シール部材（閉鎖部材、調整手段）
２００    ウェビング巻取装置
３００    ウェビング巻取装置
【図１】
2009269463.tif 000003
【図２】
2009269463.tif 000004
【図３】
2009269463.tif 000005
【図４】
2009269463.tif 000006
【図５】
2009269463.tif 000007
【図６】
2009269463.tif 000008
【図７】
2009269463.tif 000009
【図８】
2009269463.tif 000010
【図９】
2009269463.tif 000011
【図１０】
2009269463.tif 000012